【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
接触モード測定システムであって、
ａ）先端１２０と、超音波トランスミッターおよび超音波レシーバーからなる群から選択されるペンに固定された超音波デバイス２１０とを有するペンハウジング１１０を含むデジタルペン１００と、
ｂ）筆記面１４０と、
ｃ）複数の筆記面に固定された超音波デバイス１５０であって、各前記超音波デバイス１５０は、超音波トランスミッターおよび超音波レシーバーからなる群から選択され、各筆記面に固定された超音波デバイスは、前記筆記面１４０に対して固定されるそれぞれの位置を有する、複数の筆記面に固定された超音波デバイス１５０と、
ｄ）前記デジタルペンが前記筆記面１４０上にあるとき、前記各筆記面に固定された超音波デバイスに対して、超音波が前記筆記面１４０を伝わり、
（ｉ）前記ペンに固定された超音波デバイス２１０と、
（ｉｉ）前記各筆記面に固定された超音波デバイス１５０と、
の間で、
（ｉ）接触位置１７５Ｂと最も近い前記筆記面に固定された超音波デバイス１５０との距離の３０％以下の許容範囲内にある前記先端１２０と前記筆記面１４０との間の実質的に前記接触位置１７５Ｂである位置と、
（ｉｉ）前記各筆記面に固定されたデバイス１５０と、
の間の経路によって規定されるそれぞれの筆記面サブ経路１７０”を含む経路を経由して、超音波が移動するのに要するそれぞれの時間を測定する働きをする超音波伝播時間測定システム１４５と、
ｅ）前記ペンに固定された超音波デバイス２１０の位置を決定する超音波ベースの位置決めシステム１５５であって、
ｉ）前記決定された超音波移動時間と、
ｉｉ）前記筆記面内の音速と、
に従って、前記ペンに固定された超音波デバイス２１０の位置を決定する超音波ベースの位置決めシステム１５５と、
を備える、接触モード測定システム。
【請求項２】
接触モードまたはホバリングモード位置測定システムであって、
ａ）先端１２０と、超音波トランスミッターおよび超音波レシーバーからなる群から選択されるペンに固定された超音波デバイス２１０とを有するペンハウジング１１０を含むデジタルペン１００と、
ｂ）筆記面１４０と、
ｃ）複数の筆記面に固定された超音波デバイス１５０であって、各前記超音波デバイスは、超音波トランスミッターおよび超音波レシーバーからなる群から選択され、各筆記面に固定された超音波デバイスは、前記筆記面に対して固定されるそれぞれの位置を有する、複数の筆記面に固定された超音波デバイス１５０と、
ｄ）前記デジタルペンが前記筆記面上または前記筆記面の上方にあるとき、前記各筆記面に固定された超音波デバイスに対して、超音波が前記筆記面１４０を伝わり、
（ｉ）前記ペンに固定された超音波デバイス２１０と、
（ｉｉ）前記各筆記面に固定された超音波デバイス１５０と、
の間で、
（ｉ）前記先端１２０と最も近い前記筆記面に固定された超音波デバイス１５０との距離の３０％以下の許容範囲内にある前記超音波デバイス２１０の長軸１３１と前記筆記面１４０との交点１７５Ａと、
（ｉｉ）前記各筆記面に固定されたデバイス１５０と、
の間の経路によって規定されるそれぞれの筆記面サブ経路１７０’を含む経路を経由して、超音波が移動するのに要するそれぞれの時間を測定する働きをする超音波伝播時間測定システム１４５と、
ｅ）前記ペンに固定された超音波デバイス２１０の位置を決定する超音波ベースの位置決めシステム１５５であって、
ｉ）前記決定された超音波移動時間と、
ｉｉ）前記筆記面内の音速と、
に従って、前記ペンに固定された超音波デバイス２１０の位置を決定する超音波ベースの位置決めシステム１５５と、
を備える、接触モードまたはホバリングモード位置測定システム。
【請求項３】
接触モードまたはホバリングモード位置測定システムであって、
ａ）先端１２０と、超音波トランスミッターおよび超音波レシーバーからなる群から選択されるペンに固定された超音波デバイス２１０とを有するペンハウジング１１０を含むデジタルペン１００と、
ｂ）筆記面１４０と、
ｃ）複数の筆記面に固定された超音波デバイス１５０であって、各前記超音波デバイスは、超音波トランスミッターおよび超音波レシーバーからなる群から選択され、各筆記面に固定された超音波デバイスは、前記筆記面に対して固定されるそれぞれの位置を有する、複数の筆記面に固定された超音波デバイス１５０と、
ｄ）前記デジタルペンが前記筆記面上または前記筆記面の上方にあるとき、前記各筆記面に固定された超音波デバイスに対して、超音波が前記筆記面１４０を伝わり、
（ｉ）前記ペンに固定された超音波デバイス２１０と、
（ｉｉ）前記各筆記面に固定された超音波デバイス１５０と、
の間で、
（ｉ）前記筆記面１４０上の所与の点１７５と、
（ｉｉ）前記各筆記面に固定されたデバイス１５０と、
の間の経路によって規定されるそれぞれの筆記面サブ経路１７０を含む経路を経由して、超音波が移動するのに要するそれぞれの時間を測定する働きをする超音波伝播時間測定システム１４５と、
ｅ）前記ペンに固定された超音波デバイス２１０の位置を決定する超音波ベースの位置決めシステム１５５であって、前記超音波ベースの位置決めシステム１５５は、
ｉ）前記決定された超音波移動時間と、
ｉｉ）前記筆記面内の音速と、
に従い、各前記筆記面サブ経路１７０に対して、
ｉ）前記ペンに固定された超音波デバイス２１０と、
ｉｉ）前記所与の点１７５と、
の間の表面上方サブ経路１７７の長さと、各前記筆記面サブ経路１７０の長さとの比が少なくとも０．１で、最大でも１０である、前記ペンに固定された超音波デバイス２１０の位置を決定する超音波ベースの位置決めシステム１５５と、
を備える、接触モードまたはホバリングモード位置測定システム。
【請求項４】
位置測定システムであって、
ａ）先端１２０と、超音波トランスミッターおよび超音波レシーバーからなる群から選択されるペンに固定された超音波デバイス２１０とを有するペンハウジング１１０を含むデジタルペン１００と、
ｂ）筆記面１４０と、
ｃ）複数の筆記面に固定された超音波デバイス１５０であって、各前記超音波デバイスは、超音波トランスミッターおよび超音波レシーバーからなる群から選択され、各前記筆記面１４０に固定された超音波デバイスは、前記筆記面に対して固定されるそれぞれの位置を有する、複数の筆記面に固定された超音波デバイス１５０と、
ｄ）前記デジタルペンが前記筆記面上または前記筆記面の上方にあるとき、前記各筆記面に固定された超音波デバイスに対して、超音波が前記筆記面１４０を伝わり、
（ｉ）前記ペンに固定された超音波デバイス２１０と、
（ｉｉ）前記各筆記面に固定された超音波デバイス１５０と、
の間で、
Ａ）Ｉ）前記超音波レシーバーの長軸１３１と前記筆記面１４０との交点１７５Ａからの距離が前記先端１２０と最も近い前記筆記面に固定された超音波デバイス１５０との間の距離の３０％以下である所与の点１７５と、ＩＩ）前記各筆記面に固定されたデバイス１５０との間の経路によって規定される第１のそれぞれの筆記面サブ経路１７０’と、
Ｂ）Ｉ）前記接触位置１７５Ｂと最も近い前記筆記面に固定された超音波デバイス１５０との間の距離の３０％以下である許容範囲内の、前記先端１２０と前記筆記面１４０との実質的な接触位置１７５Ｂである位置と、ＩＩ）前記各筆記面に固定されたデバイス１５０と、
からなる群から選択されるそれぞれの筆記面サブ経路を含む経路を経由して、超音波が移動するのに要するそれぞれの時間を測定する働きをする超音波伝播時間測定システム１４５と、
ｅ）ペンに固定された超音波デバイス２１０の位置を決定する超音波ベースの位置決めシステム１５５であって、
ｉ）前記決定された超音波移動時間と、
ｉｉ）前記筆記面内の音速と、
に従う前記超音波ベースの位置決めシステム１５５と、
を備える、位置測定システム。
【請求項５】
各前記筆記面サブ経路１７０に対して、
ｉｉｉ）前記ペンに固定された超音波デバイス２１０と、
ｉｖ）前記所与の点１７５と、
の間の表面上方のサブ経路１７７の長さと、前記各筆記面サブ経路１７０の長さとの比が少なくとも０．１で、最大でも１０である、請求項１、２、または４のいずれかに記載の前記位置測定システム。
【請求項６】
ｅ）前記ペンに固定された超音波トランシーバーと、少なくとも１つの前記筆記面に固定された超音波トランシーバーとの間で検出される音波信号の大きさに従って、前記デジタルペン１００が前記筆記面１４０と接触しているか、それとも前記筆記面１４０の上方でホバリングしているかを判断する働きをするホバリング検出要素１５３をさらに備える、請求項１〜４のいずれかに記載の前記システム。
【請求項７】
ｆ）前記超音波ベースの位置決めシステムによって決定される前記デジタルペンの位置の変化に従って、ペンストロークを記録する働きをするペンストローク記録要素１５７と、
ｇ）前記デジタルペンが前記ホバリング検出要素１５７によって決定される前記筆記面と前記接触していることを条件として、前記記録されたペンストロークを処理する働きをするペンストローク処理要素１５８と、
をさらに備える、請求項１〜４のいずれかに記載の前記システム。
【請求項８】
前記ペンストローク処理要素１５８は、前記ホバリング検出要素によって前記デジタルペンが前記筆記面と接触しているときに検出されるペンストロークに対してのみデジタル筆記を行う働きをする、請求項６に記載の前記システム。
【請求項９】
前記ペンに固定された超音波デバイス２１０は、超音波トランスミッターである、請求項１〜４のいずれかに記載の前記システム。
【請求項１０】
前記筆記面サブ経路１７０の長さの少なくとも２０％である小区分に対して、前記筆記面サブ経路は、最大でも２０°の許容範囲内で前記筆記面１４０の局所上面１３５に実質的に平行である、請求項１〜４のいずれかに記載の前記システム。
【請求項１１】
前記筆記面１４０は、ギザギザのある区分１８０Ｂを有する端縁を含み、
ｉ）前記ギザギザのある区分の長さは、前記筆記面の最長寸法の少なくとも０．２倍であり、
ｉｉ）前記ギザギザのある端縁は、少なくともｎ個のピーク１８２とｎ−１個のトラフ１８３とを含み、ｎは少なくとも５である整数として規定され、
ｉｉｉ）前記端縁で隣接するピークに関して、隣接するピーク間の距離は、前記筆記面の前記最長寸法の少なくとも０．０１倍で、最大でも０．１倍であり、
ｉｖ）各ピークに関して、ピークと隣接するトラフの距離は、前記筆記面の前記最長寸法の少なくとも０．００１倍で、最大でも０．０３倍である、
請求項１〜４のいずれかに記載の前記システム。
【請求項１２】
ｉ）前記筆記面１４０は、前記ペンに固定された超音波デバイスと前記筆記面に固定された超音波デバイスの一方の超音波トランスミッターによって発生される超音波の波長の５倍の距離を伝播するとき、前記伝播する超音波の振幅が最大でも３０％だけ低減されるように構成され、
ｉｉ）前記筆記面１４０は、ギザギザのある区分１８０Ｂからの前記超音波波長の５倍の距離において、前記ギザギザのある区分から反射される超音波波長の振幅が前記ギザギザのある区分に入射する超音波の振幅の最大でも５０％であるようにギザギザのある区分１８０Ｂを有する端縁を含む、
請求項１〜４のいずれかに記載の前記システム。
【請求項１３】
前記超音波ベースの位置決めは、前記ペンに固定された超音波トランシーバーと少なくとも１つの前記筆記面に固定された超音波トランシーバーとの間にサイトラインがないときに有効である、請求項１〜４のいずれかに記載の前記システム。
【請求項１４】
ｉ）前記デジタルペンは、光を下方に伝える働きをする光ランスミッタ１６０を含み、
ｉｉ）システムは、筆記面に固定された光レシーバー１５２をさらに含み、
ｉｉｉ）前記筆記面１４０は、前記伝播光が最大でも１０°の許容範囲内で、光トランスミッター１６０と光レシーバー１５２との間の距離の少なくとも２０％の距離に対して、筆記面１４０の上面１３５によって規定される平面に実質的に平行な経路をたどらざるを得ないように光の伝播方向を実質的に制御する導波路として構成される、
請求項１〜４のいずれかに記載の前記システム。
【請求項１５】
ａ）細長い内部空洞２３１と先端１２０を含む細長いハウジング１１０と、
ｂ）圧電フィルム円筒２３０の長軸１３１が最大でも４５°である許容範囲内の前記細長い内部空洞の長軸１３０に実質的に平行であるように、前記細長い内部空洞２３１内に配置される圧電フィルム円筒２３０を備える、超音波を発生する超音波トランスミッター２１０と、
を備える電子ペンデバイス１００。
【請求項１６】
前記許容範囲は、最大でも２２．５°である、請求項１５に記載の前記電子ペンデバイス１００。
【請求項１７】
前記細長いハウジング１１０および前記超音波トランスミッター２１０は、前記先端１２０を通り前記圧電フィルム円筒２３０の前記長軸１３１に平行な線によって規定される伝送軸１３３に関して、前記発生された超音波のパワーの少なくとも１／４が
ｉ）前記伝送軸１３３に垂直な平面と、
ｉｉ）ボディーに固定された円錐２１９であって、その頂点が前記先端１２０であり、そのシータ角２１３が最大でも４５°であり、その軸が前記伝送軸１３３であり、その高さが前記発生される超音波の波長の５倍で与えられる、ボディーに固定された円錐２１９と、
の交差によって規定される基礎円２１７と交わる、請求項１５〜１６のいずれかに記載の前記電子ペンデバイス１００。
【請求項１８】
前記発生された超音波の前記パワーの少なくとも大部分は、前記基礎円２１７と交わる、請求項１７に記載の前記電子ペンデバイス１００。
【請求項１９】
前記細長いハウジング１１０および前記超音波トランスミッター２１０は、前記先端１２０を通り前記圧電フィルム円筒２３０の前記長軸１３１に平行な線によって規定される伝送軸１３３に関して、前記発生された超音波のパワーの少なくとも大部分が
ｉ）前記伝送軸１３３に垂直な平面と、
ｉｉ）ボディーに固定された円錐２１９であって、その頂点が前記先端１２０であり、そのシータ角２１３が最大でも４５°であり、その軸が前記伝送軸１３３であり、その高さが前記発生される超音波の波長の５倍で与えられる、ボディーに固定された円錐２１９と、
の交差によって規定される基礎円２１７と交わる、請求項１５〜１６のいずれかに記載の前記電子ペンデバイス１００。
【請求項２０】
前記シータ角は、最大でも２２．５°である、請求項１９に記載の前記電子ペンデバイス１００。
【請求項２１】
ｃ）ペンデバイスのボディーに固定された軸に対して下方に前記超音波トランスミッターによって発生される伝播音を上方に反射する前記細長い内部空洞内の前記圧電フィルム円筒の上方に配置される少なくとも１つの超音波反射体２２２をさらに備え、前記少なくとも１つの超音波反射体は、前記ボディーに固定された軸に対して、超音波トランスミッターによって発生される前記超音波を上方に伝播させる超音波パワーの少なくとも２５％を下方に反射させる働きをする、請求項１８〜２０のいずれかに記載の前記電子ペンデバイス１００。
【請求項２２】
前記少なくとも１つの超音波反射体は、前記上方に伝播する超音波のパワーの少なくとも大部分を下方に反射するように構成される、請求項２１に記載の前記電子ペンデバイス１００。
【請求項２３】
ｃ）ペンデバイス１００のボディーに固定された軸に対して、前記発生される超音波の少なくとも５０％が前記超音波共振器に入るように前記圧電フィルム円筒の下方に配置される超音波共振器２０８をさらに備え、前記超音波共振器２０８は、前記超音波共振器２０８に入る前記発生される超音波に対して振幅を少なくとも２５％高める働きをする、請求項１８〜２１のいずれかに記載の前記電子ペンデバイス１００。
【請求項２４】
前記超音波共振器２０８は、前記振幅を少なくとも５０％高める働きをする、請求項２２に記載の前記電子ペンデバイス１００。
【請求項２５】
超音波信号を処理するシステムであって、
ａ）前記筆記面の最長寸法の最大でも０．０５倍である厚さを有する薄い筆記面１４０と、
ｂ）前記筆記面に対して固定された圧電フィルム円筒３２０、前記薄い筆記面の前記側面１３７と接触して配置される前記圧電フィルム円筒３２０の少なくとも接触部分３９１、前記筆記面１４０の上面１３５の上方に配置される前記圧電フィルム円筒の少なくとも上部３９３、前記筆記面１４０の下面１３９の下方に配置される前記圧電フィルムの少なくとも下部３９５を備える超音波レシーバー１５０であって、前記筆記面１４０内で伝播する超音波信号を受け取るように構成される前記超音波レシーバー１５０と、
を備えるシステム。
【請求項２６】
前記超音波レシーバー１５０は、接触領域１３７：３９１において前記上面１３５に実質的に平行な前記筆記面１４０内で、５°の許容範囲内で伝播する超音波信号を受け取るように構成される、請求項２５に記載の前記システム。
【請求項２７】
ｉ）前記上面１３５の上方の前記上部３９３の高さと、
ｉｉ）前記下面１３９の下方の前記下部３９５の負の高さと、
の少なくとも一方は、前記厚さの最大でも５倍である、請求項２５〜２６のいずれかに記載の前記システム。
【請求項２８】
筆記面１４０と接触している先端１２０を有するペンハウジング１１０に関連する超音波トランスミッターと超音波レシーバーからなる群から選択されるペンに固定された超音波デバイス２１０の位置を測定する方法であって、
ａ）複数の筆記面に固定された超音波デバイス１５０の各筆記面に固定された超音波デバイス、超音波トランスミッターおよび超音波レシーバーからなる群から選択される各前記超音波デバイス１５０、前記筆記面１４０に対して固定されるそれぞれの位置を有する各筆記面に固定された超音波デバイスに対して、超音波が前記筆記面１４０を通って移動するのに要するそれぞれの時間を測定するステップであって、
（ｉ）前記ペンに固定された超音波デバイス２１０と、
（ｉｉ）前記各筆記面に固定された超音波デバイス１５０と、
の間で、
（ｉ）前記接触位置１７５Ｂと最も近い前記筆記面に固定された超音波デバイス１５０との間の距離の３０％以下の許容範囲内にある前記先端１２０と前記筆記面１４０との間の実質的に前記接触位置１７５Ｂである位置と、
（ｉｉ）前記各筆記面に固定されたデバイス１５０と、
の間の経路によって規定されるそれぞれの筆記面サブ経路１７０”を含む経路を経由して、超音波が移動するのに要するそれぞれの時間を測定するステップと、
ｂ）前記ペンに固定された超音波デバイス２１０の位置を測定するステップであって、
ｉ）前記決定された超音波移動時間と、
ｉｉ）前記筆記面１４０内の音速と、
に従って前記ペンに固定された超音波デバイス２１０の位置を測定するステップと、
を備える方法。
【請求項２９】
筆記面１４０の上方にあるか、または筆記面１４０と接触している先端１２０を有するペンハウジング１１０に関連する超音波トランスミッターと超音波レシーバーからなる群から選択されるペンに固定された超音波デバイス２１０の位置を測定する方法であって、
ａ）複数の筆記面に固定された超音波デバイス１５０の各筆記面に固定された超音波デバイス、超音波トランスミッターおよび超音波レシーバーからなる群から選択される各前記超音波デバイス１５０、前記筆記面１４０に対して固定されるそれぞれの位置を有する各筆記面に固定された超音波デバイスに対して、超音波が前記筆記面１４０を通って移動するのに要するそれぞれの時間を測定するステップであって、
（ｉ）前記ペンに固定された超音波デバイス２１０と、
（ｉｉ）前記各筆記面に固定された超音波デバイス１５０と、
の間で、
（ｉ）前記先端１２０と最も近い前記筆記面に固定された超音波デバイス１５０との間の距離の３０％以下の許容範囲内にある前記超音波デバイス２１０の長軸１３１と前記筆記面１４０との交点１７５Ａと、
（ｉｉ）各前記筆記面に固定されたデバイス１５０と、
の間の経路によって規定されるそれぞれの筆記面サブ経路１７０’を含む経路を経由して、超音波が移動するのに要するそれぞれの時間を測定するステップと、
ｂ）前記ペンに固定された超音波デバイス２１０の位置を測定するステップであって、
ｉ）前記決定された超音波移動時間と、
ｉｉ）前記筆記面１４０内の音速と、
に従って前記ペンに固定された超音波デバイス２１０の位置を測定するステップと、
を備える方法。
【請求項３０】
筆記面１４０の上方にあるか、または筆記面１４０と接触している先端１２０を有するペンハウジング１１０に関連する超音波トランスミッターと超音波レシーバーからなる群から選択されるペンに固定された超音波デバイス２１０の位置を測定する方法であって、
ａ）複数の筆記面に固定された超音波デバイス１５０の各筆記面に固定された超音波デバイス、超音波トランスミッターおよび超音波レシーバーからなる群から選択される各前記超音波デバイス１５０、前記筆記面１４０に対して固定されるそれぞれの位置を有する各筆記面に固定された超音波デバイスに対して、超音波が前記筆記面１４０を通って移動するのに要するそれぞれの時間を測定するステップであって、
（ｉ）前記ペンに固定された超音波デバイス２１０と、
（ｉｉ）前記各筆記面に固定された超音波デバイス１５０と、
の間で、
（ｉ）前記筆記面１４０上の所与の点１７５と、
（ｉｉ）前記各筆記面に固定されたデバイス１５０と、
の間の経路によって規定されるそれぞれの筆記面サブ経路１７０を含む経路を経由して、超音波が移動するのに要するそれぞれの時間を測定するステップであり、
各前記筆記面サブ経路１７０に対して、
ｉ）前記ペンに固定された超音波デバイス２１０と、
ｉｉ）前記所与の点１７５と、
の間の表面上方サブ経路１７７の長さと、前記各筆記面サブ経路１７０の長さとの比が少なくとも０．１で、最大でも１０である、前記超音波が前記筆記面１４０を通って移動するのに要するそれぞれの時間を測定するステップと、
ｂ）前記ペンに固定された超音波デバイス２１０の位置を決定するステップであって、
ｉ）前記決定された超音波移動時間と、
ｉｉ）前記筆記面１４０内の音速と、
に従って、前記ペンに固定された超音波デバイス２１０の位置を決定するステップと、
を備える方法。
【請求項３１】
筆記面１４０の上方にあるか、または筆記面１４０と接触している先端１２０を有するペンハウジング１１０に関連する超音波トランスミッターと超音波レシーバーからなる群から選択されるペンに固定された超音波デバイス２１０の位置を測定する方法であって、
ａ）複数の筆記面に固定された超音波デバイス１５０の各筆記面に固定された超音波デバイス、超音波トランスミッターおよび超音波レシーバーからなる群から選択される各前記超音波デバイス１５０、前記筆記面１４０に対して固定されるそれぞれの位置を有する各筆記面に固定された超音波デバイスに対して、超音波が前記筆記面１４０を通って移動するのに要するそれぞれの時間を測定するステップであって、
（ｉ）前記ペンに固定された超音波デバイス２１０と、
（ｉｉ）前記各筆記面に固定された超音波デバイス１５０と、
の間で、
Ａ）Ｉ）前記超音波レシーバーの長軸１３１と前記筆記面１４０との交点１７５Ａからの距離が前記先端１２０と最も近い前記筆記面に固定された超音波デバイス１５０との距離の３０％以下である所与の点１７５と、ＩＩ）前記各筆記面に固定されたデバイス１５０との間の経路によって規定される第１のそれぞれの筆記面サブ経路１７０’と、
Ｂ）Ｉ）前記接触位置１７５Ｂと最も近い前記筆記面に固定された超音波デバイス１５０との間の距離の３０％以下である許容範囲内の、前記先端１２０と前記筆記面１４０との実質的な接触位置１７５Ｂである位置と、ＩＩ）前記各筆記面に固定されたデバイス１５０と、
からなる群から選択されるそれぞれの筆記面サブ経路を含む経路を経由して、超音波が移動するのに要するそれぞれの時間を測定するステップと、
ｂ）前記ペンに固定された超音波デバイス２１０の位置を決定するステップであって、
ｉ）前記決定された超音波移動時間と、
ｉｉ）前記筆記面１４０内の音速と、
に従って、前記ペンに固定された超音波デバイス２１０の位置を決定するステップと、
を備える方法。
【請求項３２】
各前記筆記面サブ経路１７０に対して、
ｉ）前記ペンに固定された超音波デバイス２１０と、
ｉｉ）前記所与の点１７５と、
の間の表面上方のサブ経路１７７の長さと、各前記筆記面サブ経路１７０の長さとの比が少なくとも０．１で、最大でも１０である、請求項２８、２９、または３１のいずれかに記載の前記方法。
【請求項３３】
ｃ）前記ペンに固定された超音波トランシーバーと少なくとも１つの前記筆記面に固定された超音波トランシーバーとの間で検出された音波信号の大きさに従って、前記デジタルペン１００が前記筆記面１４０と接触しているか、それとも前記筆記面１４０の上方でホバリングしているかを判断するステップをさらに備える、請求項２８、２９、または３１のいずれかに記載の前記方法。
【請求項３４】
前記超音波ベースの位置決めシステムによって決定されるような前記デジタルペンの位置の変化に従ってペンストロークを記録するステップと、前記ホバリング検出要素１５７によって決定されるように、前記デジタルペンが前記筆記面と前記のように接触していることを条件として、前記記録されたペンストロークを扱うステップと、をさらに備える、請求項３３に記載の前記方法。
【請求項３５】
前記ペンストローク処理は、前記ホバリング検出要素によって前記デジタルペンが前記筆記面と接触しているときに検出されたペンストロークのみに対してデジタル筆記を可能にするステップを含む、請求項３４に記載の前記方法。
【請求項３６】
超音波を伝送する方法であって、
ａ）（ｉ）細長い内部空洞２３１および先端１２０を含む細長いハウジング１１０と、
（ｉｉ）前記圧電フィルム円筒２３０の長軸１３１が最大でも４５°の許容範囲内にある前記細長い内部空洞の長軸１３０に実質的に平行になるように、前記細長い内部空洞２３１内に配置された圧電フィルム円筒２３０を備える超音波トランスミッター２１０と、
を備える電子ペンデバイス１００を使用するステップと、
超音波を発生するステップと、
を備える方法。
【請求項３７】
前記超音波を発生する前記ステップは、前記先端１２０を通り前記圧電フィルム円筒２３０の前記長軸１３１に平行な線によって規定される伝送軸１３３に関して、前記発生された超音波のパワーの少なくとも１／４が、
ｉ）前記伝送軸１３３に垂直な平面と、
ｉｉ）ボディーに固定された円錐２１９であって、その頂点が前記先端１２０であり、そのシータ角２１３が最大でも４５°であり、その軸が前記伝送軸１３３であり、その高さが前記発生された超音波の波長の５倍で与えられる、ボディーに固定された円錐２１９と、
との交差によって規定される基礎円２１７と交わるように行われる、請求項３６に記載の方法。
【請求項３８】
前記超音波を発生する前記ステップは、前記先端１２０を通り前記圧電フィルム円筒２３０の前記長軸１３１に平行な線によって規定される伝送軸１３３に関して、前記発生された超音波のパワーの少なくとも大部分が、
ｉ）前記伝送軸１３３に垂直な平面と、
ｉｉ）ボディーに固定された円錐２１９であって、その頂点が前記先端１２０であり、そのシータ角２１３が最大でも４５°であり、その軸が前記伝送軸１３３であり、その高さが前記発生された超音波の波長の５倍で与えられる、ボディーに固定された円錐２１９と、
との交差によって規定される基礎円２１７と交わるように行われる、請求項３６に記載の前記方法。
【請求項３９】
ｂ）前記細長い内部空洞の中の前記圧電フィルム円筒の上方に配置された少なくとも１つの超音波反射体２２２を使用して、超音波トランスミッターによって発生される前記超音波のパワーを少なくとも２５％を下方に反射させて、下方でペンデバイスのボディーに固定された軸に対して前記超音波トランスミッターによって発生される伝播音波を上方に反射させるステップをさらに備える、請求項３７に記載の前記方法。
【請求項４０】
前記反射させるステップは、前記上方に伝播する超音波のパワーの少なくとも７５％を下方に反射させるステップを含む、請求項３９に記載の前記方法。
【請求項４１】
前記筆記面の最長寸法の最大でも０．０５倍の厚さを有する薄い筆記面を伝播する超音波信号を検出する方法であって、
ａ）前記筆記面に対して固定された圧電フィルム円筒３２０、前記薄い筆記面の前記側面１３７と接触させて配置された前記圧電フィルム円筒３２０の少なくとも接触部分３９１、前記筆記面１４０の上面１３５の上方に配置された前記圧電フィルム円筒の少なくとも上部３９３、前記筆記面１４０の下面１３９の下方に配置された前記圧電フィルム３２０の少なくとも下部３９５を備える超音波レシーバー１５０使用して、前記筆記面１４０内を伝播する超音波信号を受け取るステップをさらに備える方法。
【請求項４２】
電子ペンデバイス１００の製造方法であって、
ａ）前記圧電フィルム円筒２３０の長軸１３１が最大でも４５°の許容範囲内にある前記細長い内部空洞の長軸１３０に実質的に平行になるように、前記細長い内部空洞２３１内に配置された圧電フィルム円筒２３０を備える、細長い内部空洞２３１と先端１２０とを含む細長いハウジング１１０の中に超音波トランスミッター２１０を挿入するステップを備える方法。
【請求項４３】
ｂ）前記少なくとも１つの超音波反射体２２２が前記ペンデバイスのボディーに固定された軸に関して、前記超音波トランスミッターによって下方に発生された音波を上方に反射して伝播するように構成されるよう、前記細長い内部空洞内の前記圧電フィルム円筒の上方に少なくとも１つの超音波反射体２２２を配置するステップであって、前記少なくとも１つの超音波反射体は、超音波トランスミッターによって発生された前記超音波を前記ボディーに固定された軸に対して上方に伝播する超音波パワーの少なくとも７５％を下方に反射する働きをする、前記細長い内部空洞内の前記圧電フィルム円筒の上方に少なくとも１つの超音波反射体２２２を配置するステップをさらに備える、請求項４２に記載の前記方法。